(57)【要約】【課題】包装容器として使用された場合に、易開封部を押し込んで開封する等のいたずらを防止できる二重カップを提供する。【解決手段】本発明の二重カップ１Ａは、外カップ２と、外カップ２の内側に配置された内カップ３とが、外カップ２と内カップ３との間に閉空間Ｓ１が形成されるようにして、互いに組み合わされている。内カップ３の底部７には、閉空間Ｓ１を開放するための易開封部１０が設けられている。【選択図】図１
2012082021.tif 000002
【特許請求の範囲】
【請求項１】
外カップと、前記外カップの内側に配置された内カップとが、筒状の胴部及び前記胴部の一端を塞ぐ底部をそれぞれ有し、かつ前記外カップと前記内カップとの間に閉空間が形成されるようにして、互いに組み合わされた二重カップにおいて、
前記内カップの前記底部には、前記閉空間を開放するために前記内カップの前記底部を破れ易くする易開封部が設けられ、
前記易開封部は、前記内カップの前記底部を横断する方向に延びて互いに交差する複数の易開封線を備えていることを特徴とする二重カップ。
【請求項２】
前記内カップの前記底部には、前記複数の易開封線の各端部を互いに結ぶように延びて、前記内カップの前記底部を前記閉空間の側へ折り曲げ易くする易折り曲げ線が設けられていることを特徴とする請求項１に記載の二重カップ。
【請求項３】
外カップと、前記外カップの内側に配置された内カップとが、筒状の胴部及び前記胴部の一端を塞ぐ底部をそれぞれ有し、かつ前記外カップと前記内カップとの間に閉空間が形成されるようにして、互いに組み合わされた二重カップにおいて、
前記内カップの前記底部には、前記閉空間を開放するための開封手段と、前記内カップの前記底部を前記閉空間から離れる方向に引き上げるための引き上げ部とが設けられており、
前記開封手段は、前記引き上げ部にて前記内カップの前記底部が引き上げられたときに前記内カップの前記底部が前記内カップの前記胴部から分離できる状態で、前記内カップの前記底部が前記内カップの前記胴部に仮固定されることにより、構成されていることを特徴とする二重カップ。
【請求項４】
前記内カップの前記胴部及び前記底部のそれぞれは紙を素材として構成されており、
前記内カップの前記底部の外周に筒状の折り返し部が設けられ、かつ前記折り返し部が包み込まれるように前記胴部の下端部を内方に折り曲げた状態で当該下端部が全周に亘って半径方向に締め付けられることにより、前記内カップの前記底部が前記内カップの前記胴部に仮固定されていることを特徴とする請求項３に記載の二重カップ。
【請求項５】
前記引き上げ部は、前記折り返し部に一対の切り込みが折り返し位置に向かって延びるように設けられ、かつ前記一対の切り込みにて挟まれた部分が前記折り返し部の折り返し方向の反対側に折り曲げられることにより構成されていることを特徴とする請求項４に記載の二重カップ。
【発明の詳細な説明】
【技術分野】
【０００１】
本発明は、外カップとその内側に配置された内カップとが組み合わされた二重カップに関する。
【背景技術】
【０００２】
紙又はプラスチックを素材とした内カップと外カップとを、その内カップの底部の下方に閉空間が形成されるように組み合わせた二重カップが広く知られている。そのような閉空間に収納された物品を二重カップを分解せずに容易に取り出し得るようするため、外カップの底部に摘み用の切り込みとこれに続いて一巡するミシン目を設けた二重カップが知られている。また、外カップの胴部に対しその周方向に延びて一巡するジッパーを設けた二重カップも知られている（特許文献１及び特許文献２参照）。
【０００３】
【特許文献１】実開昭５９−４２３６３号公報
【特許文献２】特開２００４−３１４９８７号公報
【発明の概要】
【発明が解決しようとする課題】
【０００４】
これらの文献に開示された二重カップは、ミシン目やジッパー等の易開封部が外カップに設けられている。そのため、このような二重カップを商品包装容器として使用して店舗等に陳列した場合には易開封部が表面に露出する。これにより、易開封部を押し込んで開封する等のいたずらを誘発するおそれがある。
【０００５】
そこで、本発明は、包装容器として使用された場合に、易開封部を押し込んで開封する等のいたずらを防止できる二重カップを提供することを目的とする。
【課題を解決するための手段】
【０００６】
以下、本発明の二重カップについて説明する。なお、本発明の理解を容易にするために添付図面の参照符号を括弧書きにて付記するが、それにより本発明が図示の形態に限定されるものではない。
【０００７】
本発明の第１の二重カップは、外カップ（２）と、前記外カップの内側に配置された内カップ（３、３３）とが、筒状の胴部（４、６、３６）及び前記胴部の一端を塞ぐ底部（５、７、３７）をそれぞれ有し、かつ前記外カップと前記内カップとの間に閉空間（Ｓ１）が形成されるようにして、互いに組み合わされた二重カップ（１Ａ、１Ｂ）において、前記内カップの前記底部には、前記閉空間を開放するために前記内カップの前記底部を破れ易くする易開封部（１０、２０）が設けられ、前記易開封部は、前記内カップの前記底部を横断する方向に延びて互いに交差する複数の易開封線（２１）を備えていることにより、上述した課題を解決する。
【０００８】
第１の二重カップによれば、閉空間を開放するための開封手段が内カップの底部に設けられているので、二重カップが所定の物品が収容された包装容器として使用された場合には開封手段が外部に露出しない。そのため、外部から開封手段へのアクセスが阻止されるので、開封手段によって閉空間を開放するいたずらを防止できる。複数の易開封線は、底部を破れ易くできるものであれば如何なる形態でもよく、例えば、複数の易開封線のそれぞれを、いわゆるミシン目、ハーフカットで、又はこれらの組み合わせで実現することができる。
【０００９】
本発明の第１の二重カップの一態様において、前記内カップの前記底部には、前記複数の易開封線の各端部を互いに結ぶように延びて、前記内カップの前記底部を前記閉空間の側へ折り曲げ易くする易折り曲げ線（２３）が設けられていてもよい。この場合、易開封線を境にして破れた部分が易折り曲げ線によって閉空間の側に折り曲がり易くなるので、閉空間の開放が一層容易になる。
【００１０】
本発明の第２の二重カップは、外カップ（２）と、前記外カップの内側に配置された内カップ（３、３３）とが、筒状の胴部（４、６、３６）及び前記胴部の一端を塞ぐ底部（５、７、３７）をそれぞれ有し、かつ前記外カップと前記内カップとの間に閉空間（Ｓ１）が形成されるようにして、互いに組み合わされた二重カップ（１Ａ、１Ｂ）において、前記内カップの前記底部には、前記閉空間を開放するための開封手段（１０、２０）と、前記内カップの前記底部を前記閉空間から離れる方向に引き上げるための引き上げ部（３９）とが設けられており、前記開封手段は、前記引き上げ部にて前記内カップの前記底部が引き上げられたときに前記内カップの前記底部が前記内カップの前記胴部から分離できる状態で、前記内カップの前記底部が前記内カップの前記胴部に仮固定されることにより、構成されていることで、上述した課題を解決する。
【００１１】
第２の二重カップによれば、閉空間を開放するための開封手段が内カップの底部に設けられているので、二重カップが所定の物品が収容された包装容器として使用された場合には開封手段が外部に露出しない。そのため、外部から開封手段へのアクセスが阻止されるので、開封手段によって閉空間を開放するいたずらを防止できる。また、引き上げ部にて底部が引き上げられたときに底部が胴部から分離して内カップの底が抜けた状態になって閉空間が開放される。第２の二重カップは、閉空間が開放されたときに内カップの底部が除去されるので、底部の一部を破る場合よりも開口面積が広くなる。これにより、閉空間へのアクセスが容易になる利点がある。
【００１２】
内カップの底部と胴部との仮固定は種々の形態で実現できる。例えば、前記内カップの前記胴部及び前記底部のそれぞれは紙を素材として構成されており、前記内カップの前記底部の外周に筒状の折り返し部（３７ａ）が設けられ、かつ前記折り返し部が包み込まれるように前記胴部の下端部（３６ａ）を内方に折り曲げた状態で当該下端部が全周に亘って半径方向に締め付けられることにより、前記内カップの前記底部が前記内カップの前記胴部に仮固定されてもよい。一般に、紙を素材とした紙カップは、その底部の外周に筒状の折り返し部を設け、その折り返し部が包み込まれるように胴部の下端部を内方に折り曲げた状態で当該下端部を全周に亘って半径方向に締め付けながら、熱圧着等の接着方法を実施することにより、底部と胴部とが接合される。この態様によれば、紙カップの一般的な製造方法から胴部と底部との接着方法を省くだけで、紙カップを製造する既存設備を利用して底部と胴部との仮固定を実現できる。このため、底部と胴部との仮固定を低コストかつ容易に実現することができる。
【００１３】
この態様において、前記引き上げ部は、前記折り返し部に一対の切り込み（３７ｂ）が折り返し位置（Ｐ）に向かって延びるように設けられ、かつ前記一対の切り込みにて挟まれた部分が前記折り返し部の折り返し方向の反対側に折り曲げられることにより構成されていてもよい。この場合、折り返し部の一部を引き上げ部として利用するため、部品点数の増加を抑えることができる。更に、一対の切り込みに挟まれた部分が引き上げ部になるので、底部に貫通孔を形成して引き上げ部にする場合のように貫通孔を開けた後に抜き屑が発生することがない。これにより材料の無駄を発生させずに引き上げ部を簡便に実現できる。
【発明の効果】
【００１４】
以上説明したように、本発明によれば、閉空間を開放するための開封手段が内カップの底部に設けられているので、二重カップが所定の物品が収容された包装容器として使用された場合には、開封手段が外部に露出しない。そのため、外部から開封手段へのアクセスが阻止されるので、開封手段によって閉空間を開放するいたずらを防止できる。
【図面の簡単な説明】
【００１５】
【図１】第１の形態に係る二重カップの外観を示した正面図。
【図２】図１のII−II線に沿った断面図。
【図３】本発明に係る易開封部を他の形態に置き換えた二重カップを示した断面図。
【図４】第２の形態に係る二重カップの外観を示した正面図。
【図５】図４の二重カップの製造方法を説明する説明図。
【発明を実施するための形態】
【００１６】
（第１の形態）
図１及び図２は本発明の二重カップの一形態を示し、図１は二重カップの外観を示した正面図、図２は図１のII−II線に沿った断面図である。これらの図に示すように、二重カップ１Ａは、外カップ２と、この外カップ２の内側に配置された内カップ３とを有し、これらのカップ２、３が互いに組み合わされている。外カップ２及び内カップ３のそれぞれは、少なくとも内面側がポリエチレン等の被覆層で覆われた紙を素材として逆円錐台形状に成形された紙カップとして構成されている。外カップ２は内カップ３よりも高さが高く外カップ２は筒状の胴部４と、その胴部４の一端を塞ぐ底部５とを有している。内カップ３は外カップ２と同様に筒状の胴部６と、その胴部６の一端を塞ぐ底部７とを有している。内カップ３はその胴部６の上端部が外側に丸められたカール部８が形成されている。これらのカップ２、３はいずれも周知の紙カップの製造方法にて製造されている。即ち、外カップ２の胴部４と底部５とは熱圧着にて相互に接着され、内カップ３の胴部６と底部７とは熱圧着にて相互に接着されている。
【００１７】
外カップ２と内カップ３とは、外カップ２の上端部が内カップ２のカール部８に差し込まれた状態で接着剤にて相互に接着されることによって組み合わされている。それにより、外カップ２と内カップ３との間には、外カップ２の胴部４と外カップ２の底部５と内カップ３の底部７とによって囲まれた閉空間Ｓ１が形成される。
【００１８】
二重カップ１Ａは、閉空間Ｓ１と内カップ３の内部空間Ｓ２とに所定の物品がそれぞれ収容され、かつ内カップ３の開口部が蓋部材９にて塞がれた状態で、包装容器として使用される。これらの空間Ｓ１、Ｓ２に収容可能な物品に特段の制限はないが、互いに相違する物品をこれらの空間Ｓ１、Ｓ２に収容してよい。例えば、閉空間Ｓ１に模型等の非食品である景品を、内部空間Ｓ２に菓子等の食品をそれぞれ収容できる。
【００１９】
図２に示すように、二重カップ１Ａは、閉空間Ｓ１に収容された物品を取り出すことができるように、閉空間Ｓ１を開放するための開封手段としての易開封部１０が内カップ３の底部７に設けられている。易開封部１０は底部７の周方向に一巡する易開封線１１を備えている。易開封線１１はいわゆるミシン目にて構成されており、それにより底部７が破れ易くなっている。即ち、易開封線１１は、複数の切断部１１ａと複数の残部１１ｂとが交互に並んで周方向に延びている。なお、この易開封線１１を、底部７の厚さ方向に切り込みを入れたいわゆるハーフカットにて構成してもよい。易開封線１１にて囲まれた範囲内には、引き上げ部としての切り欠き部１２が設けられていて、その切り欠き部１２は底部７を貫いている。切り欠き部１２の大きさは、平均的なユーザが切り欠き部１２に指を差し込んで、その指先で底部７を引っ掛けることができる程度に設定されている。
【００２０】
二重カップ１Ａによれば、内カップ３の開口部が蓋部材９にて塞がれた包装容器として使用された状態において、内カップ３の底部７に設けられた易開封部１０が外部に露出することがない。これにより、包装容器として使用された状態で、外部から易開封部１０へのアクセスが阻止されるので、易開封部１０によって閉空間Ｓ１を開放するいたずらを防止できる。
【００２１】
また、内カップ３の底部７には、易開封線１１で囲まれた範囲内に切り欠き部１２が設けられているので、閉空間Ｓ１の開放が容易になる。しかも、閉空間Ｓ１の開放に伴って易開封線１１に囲まれた部分が内カップ３から分離しても、その部分は閉空間Ｓ１から離れる方向に引き上げられるから、その部分が閉空間Ｓ１内に落ち込むことを防止できる。
【００２２】
なお、図１及び図２に示した易開封部１０は一例にすぎず、これを種々の形態で実施することも可能である。図３は本発明に係る易開封部を他の形態に置き換えた二重カップを示した断面図である。図３は図２の同一位置の二重カップの断面を示している。図３に示すように、二重カップ１Ａには、内カップ３の底部７に設けられた開封手段としての易開封部２０が設けられている。易開封部２０は底部７を横断する方向に延びて互いに交差する２本の易開封線２１を備えている。図示の形態では、各易開封線２１は底部７の半径方向に延びており、かつ底部７の略中心に位置する交差点２２にて互いに交差している。各易開封線２１は切断部２１ａと残部２１ｂとを有したいわゆるミシン目にて構成されている。また、底部７には、各易開封線２１の各端部２１ｃを結ぶように延びる易折り曲げ線２３が設けられている。易折り曲げ線２３は、いわゆる罫線であり、図３の紙面の裏側から型押しされることにより構成されている。それにより、易折り曲げ線２３を境にして底部７が閉空間Ｓ１の側へ折り曲げ易くなる。図３の形態によれば、ユーザが底部７の中央を押すことにより、交差点２２を中心として各易開封線２１に沿って底部７が破れ、その破れた部分が閉空間Ｓ１の側へ折り曲げられる。これにより、閉空間Ｓ１が開放される。図３の形態も図１及び図２に示した形態と同様に、包装容器として使用された場合に易開封部２０が外部に露出せず、外部から閉空間Ｓ１へのアクセスが阻止されるため、上述のいたずらを防止できる。また、易開封線２１に沿って底部７が破れても、その破れた部分が分離しないから、ゴミが発生しない。
【００２３】
なお、図３の形態においては、易折り曲げ線２３を省略して実施することもできる。また、各易開封線２１はミシン目の代わりにハーフカットにて構成することも可能である。
【００２４】
（第２の形態）
次に、本発明の第２の形態を図４及び図５を参照しながら説明する。なお、第１の形態と共通の構成に関してはこれらの図に同一符号を付すことにより説明を省略する。図４は第２の形態に係る二重カップの外観を示した正面図であり、図５は図４の二重カップの製造方法を説明する説明図である。
【００２５】
図４に示すように、二重カップ１Ｂは外カップ２と内カップ３３とが互いに組み合わされることにより構成されている。内カップ３３は第１の形態と同様に紙を素材としているが、その構成及び製造方法が相違している。内カップ３３は筒状の胴部３６と、その胴部３６の一端を塞ぐ底部３７とを有しており、その胴部３６の上端部には外側に丸められたカール部３８が形成されている。胴部３６及び底部３７はいずれも紙を素材としている。底部３７には、その底部３７を閉空間Ｓ１から離れる方向に引き上げるための引き上げ部としてのタブ３９が形成されている。内カップ３３の胴部３６と底部３７とはタブ３９を引き上げたときに底部３７が胴部３６から分離できるように仮固定され、その仮固定により本発明に係る開封手段が構成されている。
【００２６】
二重カップ１Ｂは次の手順で製造される。図４に示すように、まず、内カップ３３の底部３７の外周に筒状の折り返し部３７ａを設ける。折り返し部３７ａは底部３７に対してその折り曲げ位置Ｐから略垂直に立ち上がっている。そして、折り返し部３７ａに、折り曲げ位置Ｐまで延びる一対の切り込み３７ｂを設け、それら一対の切り込み３７ｂにて挟まれた部分を折り曲げ方向と反対側に折り曲げてタブ３９を構成する。
【００２７】
次に、筒状に形成された胴部３６の内側の所定位置に、上記の加工を施した底部３７を配置する。そして、折り返し部３７ａが包み込まれるように胴部３６の下端部３６ａを内方に折り曲げる。
【００２８】
次に、胴部３６と底部３７とをその状態に保持しつつ、チャック式締付け装置４０にセットする。チャック式締め付け装置４０は胴部３６の下端部３６ａの外周側を全周に亘って保持する保持具４０ａと、下端部３６ａの内周側に配置されて下端部３６ａの全周に亘って対向するチャック４０ｂとを有している。チャック式締付け装置４０の保持具４０ａとチャック４０ｂとによって下端部３６ａを挟み込んだ状態で、チャック４０ｂを矢印方向に拡径することにより、下端部３６ａをその全周に亘って半径方向に締め付ける。これにより、胴部３６と底部３７とは仮固定される。
【００２９】
こうして胴部３６と底部３７とが仮固定された内カップ３３を、別途準備した外カップ２の内側に配置して内カップ３３と外カップ２とを相互に組み合わせることにより、本形態に係る二重カップ１Ｂが製造される。
【００３０】
なお、チャック式締付け装置４０は、一般的な紙カップの製造に使用される既存の装置である。一般的な紙カップの製造時には保持具４０ａとチャック４０ｂとを紙の被覆層を溶融可能な温度に加熱した状態で胴部の下端部を半径方向に締付けることにより胴部と底部とを熱圧着させる。上述した内カップ３３の製造の際には、保持具４０ａとチャック４０ｂとを常温に又は十分に熱圧着されない温度に設定して胴部３６と底部３７とを仮固定している。その温度は、タブ３９を引き上げたときに仮固定された胴部３６と底部３７から、底部３７が無理なく分離できるように適宜設定される。
【００３１】
第２の形態の二重カップ１Ｂによれば、第１の形態と同様に、包装容器として使用された場合、上記のいたずらを防止できる。更に、二重カップ１Ｂは、タブ３９にて底部３７が引き上げられたときに底部３７が胴部３６から分離して内カップ３３の底が抜けた状態になって閉空間Ｓ１が開放される。閉空間Ｓ１が開放されたときに内カップ３３の底部３７が除去されるので、底部３７の一部を破る場合よりも開口面積が広くなる。これにより、閉空間Ｓ１へのアクセスが容易になる利点がある。
【００３２】
以上、本発明の好ましい形態について説明したが、本発明は以上の各形態に限定されず、種々の形態で実現してよい。例えば、外カップ及び内カップの材質、形状等は、本発明の要旨の範囲内において特に制限はない。従って、これらのカップの材質は紙以外のもの、例えばプラスチック等の樹脂材料で構成してもよい。また、これらのカップが上述した紙を素材とした場合、その紙には、純粋な紙のみならず、紙の表面にプラスチックフィルム、金属フィルム等の異種材料を貼り付けたものもその範疇に含まれる。また、外カップと内カップとを同一の材料で構成せずに、互いに材料を相違させてもよい。これらのカップは、その横断面が円形状のものに限らず、矩形状のものでもよい。
【００３３】
また、図２及び図３に示した易開封部１０、２０は例示にすぎない。例えば、易開封部の一例としての易開封線を波形状又は鋸刃状（ギザギザ状）のミシン目又はハーフカットにて実施してもよい。このようにした場合には、内カップの底部が破れた後の縁部にてユーザーが手を切り難くなるという利点がある。また、易開封線を設ける内カップの底部の厚みを薄くして、易開封線に沿って底部が切れ易くすることもできる。
【００３４】
また、図２に示した引き上げ部としての切り欠き部１２は一例にすぎず、例えば、易開封線１１にて囲まれた範囲内に切り欠き部１２と同等の大きさの貫通孔を設け、その貫通孔を引き上げ部として機能させることも可能である。
【符号の説明】
【００３５】
１Ａ、１Ｂ  二重カップ
２  外カップ
３  内カップ
４、６  胴部
５、７  底部
１０  易開封部（開封手段）
１１  易開封線
１２  切り欠き部（引き上げ部）
２１  易開封線
３３  内カップ
３６  胴部
３６ａ  下端部
３７  底部
３７ａ  折り返し部
３７ｂ  切り込み
３９  タブ（引き上げ部）
Ｓ１  閉空間
【図１】
2012082021.tif 000003
【図２】
2012082021.tif 000004
【図３】
2012082021.tif 000005
【図４】
2012082021.tif 000006
【図５】
2012082021.tif 000007